(57)【特許請求の範囲】
【請求項１】
固定部材に配設された第１係合部材と扉体に配設された第２係合部材とを、軸棒を介して連設させる扉開閉装置であって、前記第１係合部材又は第２係合部材のいずれか一方に前記軸棒を係止させるロック手段を設ける一方、他方の前記第１係合部材又は第２係合部材に、前記軸棒の係止状態を解除して当該軸棒が挿入される軸受部材を設けてなることを特徴とする扉開閉装置。
【請求項２】
前記ロック手段は、前記軸棒に形成される凹溝と、前記軸棒が挿通する貫通孔が前記凹溝との間で係脱可能なように穿設されるロック部材と、該ロック部材を付勢して前記軸棒の係止状態を保持させる突片とで構成される一方、前記軸受部材は、前記第１係合部材と第２係合部材とを連設させるときに、前記ロック部材に当接して前記係止状態を解除する鍔部を備えるとともに、前記軸棒が挿入される挿通孔を備えてなることを特徴とする請求項１に記載の扉開閉装置。
【請求項３】
前記ロック手段は、前記軸棒に対し一端を固定支点にして傾斜されるとともに、該傾斜角の拡開方向に付勢され、且つ、前記軸棒が挿通して当該軸棒との間で係脱可能なように作用する貫通孔が穿設された可動片で構成される一方、前記軸受部材は、前記第１係合部材と第２係合部材とを連設させるときに、前記可動片に当接して前記係止状態を解除する突起部を備えるとともに、前記軸棒が挿入される挿通孔を備えてなることを特徴とする請求項１に記載の扉開閉装置。
【発明の詳細な説明】
【０００１】
【発明が属する技術分野】
本発明は、家具や建具等に設けられる扉体を開閉するための扉開閉装置に関する。
【０００２】
【従来の技術】
家具や建具等の固定部材に扉体を取り付けるための扉開閉装置には種々のものがある。これらのうちで当該取付作業をワンタッチで行えるようにしたものとして、特開平７−８２９４６号公報に開示のものがある。
この公報に開示のトップピボット機構（扉開閉装置）１００は、図８に示すように、固定枠体１０１に配設された、支持金具１０２及び支持アーム１０３で構成される一方のヒンジ部材１０４と、扉体１０５に配設された、取付金具１０６及び連動アーム１０７で構成される他方のヒンジ部材１０８との連結をワンタッチで行えるようにしたものである。
このトップピボット機構１００の動作説明を図９を参照して概説する。この機構１００では、支持アーム１０３に形成された連結体１０３ａの挿入口（連結体１０３ａの矩形状の切欠き）１０９に対し、連動アーム１０７の円筒体１０７ａに固着された軸受ブロック１１０の回動中心軸１１０ａを、図９（Ａ）中の矢印方向に挿入し、回動中心軸１１０ａによって操作レバー１１１の操作部１１１ａが押動されると、操作レバー１１１は、支持ブロック１１２の支軸１１２ａを中心に、コイルスプリング１１３，１１４の付勢力に抗して図９（Ａ）中の矢印方向に回転する。
【０００３】
すると、操作レバー１１１の支持突片１１１ｂが開閉体１１５の係合段部１１５ａから外れ、開閉体１１５は、図９（Ｂ）に示すように、コイルスプリング１１３及びこれに直列に配されたコイルスプリング１１４の付勢力によって、上記挿入口１０９を閉塞する方向に、即ち、図９（Ｂ）中の矢印方向に押動される。このとき、回動中心軸１１０ａは、開閉体１１５及び操作レバー１１１によって支持される態様をなす。このように、トップピボット機構１００によれば、回動中心軸１１０ａを連結体１０３ａの挿入口１０９から挿入するだけで、この種の取付作業をワンタッチで行うことができる。
【０００４】
【発明が解決しようとする課題】
しかしながら、上述の機構は、当該取付作業をワンタッチで行うことができ利便性が極めてよいものであるが、当該機構を構成する部材、例えば操作レバー１１１や支持ブロック１１２、開閉体１１５等を支持アームの連結体に組み込んでいるために、当該連結体が従来より大きくなってしまい、この種の扉体に用いる場合には、見栄えを悪くする。また、当該機構を構成するに要する部材も多く、当然のことながら製品コストも高くなる。
【０００５】
本発明の目的は、装置を大型化せずに、しかも、簡単な構造で、家具や建具等の固定部材に扉体を取り付けるための取付作業をワンタッチで行える扉開閉装置を提供することにある。
【０００６】
【課題を解決するための手段】
上記課題を解決するために、本発明の請求項１に係る扉開閉装置は、固定部材に配設された第１係合部材と扉体に配設された第２係合部材とを、軸棒を介して連設させる装置で、第１係合部材又は第２係合部材のいずれか一方に軸棒を係止させるロック手段を設ける一方、他方の第１係合部材又は第２係合部材に、上記軸棒の係止状態を解除して当該軸棒が挿入される軸受部材を設けてなるものである。本装置によれば、ロック手段に対し、例えば押圧力を加えるなどして軸棒の係止状態を解除するだけで、第１係合部材と第２係合部材とが軸棒を介して連設されるようになるため、固定部材に扉体を取り付けるための取付作業をワンタッチで行えることはもちろんのこと、構造自体が簡素で、装置が大型化するのを回避できる。
【０００７】
本発明の請求項２に係る扉開閉装置は、上記ロック手段が、軸棒に形成される凹溝と、軸棒が挿通する貫通孔が上記凹溝との間で係脱可能なように穿設されるロック部材と、このロック部材を付勢して軸棒の係止状態を保持させる突片とで構成される一方、上記軸受部材が、第１係合部材と第２係合部材とを連設させるときに、ロック部材に当接して軸棒の係止状態を解除する鍔部を備えるとともに、当該軸棒が挿入される挿通孔を備えてなるものである。
本装置によれば、突片の付勢力によってロック部材の貫通孔の周縁に係止された軸棒を、このロック部材を軸受部材の鍔部に当接させて当該係止状態を解除することによって、貫通孔に挿通するようにするとともに、軸受部材の挿通孔に挿入する態様を採ったものであり、これにより、上記取付作業をワンタッチで行えることはもちろんのこと、装置構造を大型化することなく、極めて簡素に構成できる。
【０００８】
また、本発明の請求項３に係る扉開閉装置は、ロック手段が、軸棒に対し一端を固定支点にして傾斜されるとともに、この傾斜角の拡開方向に付勢され、且つ、軸棒が挿通して当該軸棒との間で係脱可能なように作用する貫通孔が穿設された可動片で構成される一方、軸受部材が、第１係合部材と第２係合部材とを連設させるときに、可動片に当接して軸棒の係止状態を解除する突起部を備えるとともに、軸棒が挿入される挿通孔を備えてなるものである。
本装置によれば、可動片が上述のような付勢状態に置かれているときに、当該可動片の貫通孔と軸棒と間の摩擦力によってこの貫通孔に係止された軸棒を、この可動片を軸受部材の突起部に当接させて当該係止状態を解除することによって、貫通孔に挿通するようにするとともに、軸受部材の挿通孔に挿入する態様を採ったものであり、これにより、上記同様の効果を得ることができる。
【０００９】
【発明の実施の形態】
本発明の第１の実施の形態に係る扉開閉装置を図１〜５を参照して説明する。本実施の形態に係る扉開閉装置１では、図１に示すように、固定部材２に配設された第１係合部材３と扉体４に配設された第２係合部材５とを連設する場合、第２係合部材５に係止された軸棒６を第１係合部材３に同図中の矢印方向に挿入することによって、固定部材２に扉体４を取り付けるための取付作業をワンタッチで行えるようにしている。尚、本扉開閉装置１は、固定部材２及び扉体４に所定間隔をあけて配設される扉開閉装置のうち一方の扉開閉装置であり、本実施の形態では、固定部材２及び扉体４の上方に配設されている。
【００１０】
本扉開閉装置１の構成を図２〜４を参照して説明する。
本装置１は、上述のように、第１係合部材３及び第２係合部材５並びにこれら部材を連設するための上記軸棒６等の連結部材を備えており、ここでは、最初に第２係合部材５及びこれに配設される連結部材について説明する。
第２係合部材５は、図２に示すように、取付プレート７のみで構成され、この取付プレート７の一方端には、円筒体７ａが形成される一方、この板状部７ｂには、取付プレート７を扉体４に取り付けるためのビス穴が適宜数穿設され、また、上記円筒体７ａには、軸棒６等の数点の連結部材のみが配設される。
【００１１】
即ち、これら連結部材は、主として、鍔８ａを有する中空円筒状のブッシュ８と、略中央部に環状の鍔９ａを有する中空円筒状の樹脂製ブッシュ９と、その上端部に鍔１０、及びこの鍔１０に垂設された軸部１１を有するとともに、この軸部１１の略中央部に小溝１１ａ、及びこの下端部に大溝（ロック手段の構成要素）１１ｂを有する上記軸棒６と、後述するロック部材１５とで構成される。このうち、ブッシュ８は、その鍔８ａが円筒体７ａの最上端に当接された状態で、この最上端部に圧入される一方、ブッシュ９は、その鍔９ａが円筒体７ａの最下端に当接された状態でこの最下端部に圧入されるとともに、その下円筒部１２が円筒体７ａの最下端から突出した状態で配設される。これに対し、軸棒６は、その鍔１０がブッシュ８の鍔８ａに当接可能なように、且つ、その軸部１１がブッシュ８及びブッシュ９の中空部を貫通し、ブッシュ９の下円筒部１２から突出可能なように配設される。そして、この軸部１１の小溝１１ａにＥリング１３が嵌着されるとともに、このＥリング１３とブッシュ８の円筒下端８ｂとの間にスプリング１４が介装され、軸棒６は、このスプリング１４によって、当該軸棒６の鍔１０がブッシュ８の鍔８ａに当接する方向に付勢されるが（図５（Ｂ）参照）、後述するように、軸棒６がロック部材１５によって係止状態に置かれるときは、軸棒６の鍔１０がブッシュ８の鍔８ａから離隔し、スプリング１４はＥリング１３とブッシュ８の円筒下端８ｂとの間で圧縮状態に置かれる（図５（Ａ）参照）。
【００１２】
連結部材には、ブッシュ９の下円筒部１２に形成された後述のスリット１６に緩嵌される上記ロック部材（ロック手段）１５が含まれる。このロック部材１５は、図３（Ａ）に詳細に示すように、横断面が矩形状の短辺を円弧状に形成した扁平な柱状部材であり、この柱状部材の中心軸に対し偏心させて貫通孔１５ａが穿設されている。一方、ブッシュ９の下円筒部１２には、当該下円筒部１２の軸心に直角にスリット１６が設けられ、このスリット１６の一方の開口部には、突片（ロック手段）１６ａが垂れ下がった状態で形成されており、この突片１６ａは、その材質の弾性力を利用すべくスリット１６内に向かって傾斜するように付勢されている。
但し、上記突片１６ａは、本実施の形態のように下円筒部１２に一体に形成されるものでなく、下円筒部１２とは別体で構成されるものであってもよい。
【００１３】
ここで、本装置１に係るロック手段の動作説明をする。
上記下円筒部１２のスリット１６に緩嵌されたロック部材１５は、軸棒６が図３（Ｂ）のような位置にあるとき、即ち、第１係合部材３と第２係合部材５とが連設される前の状態のときには、突片１６ａの付勢力によってスリット１６から僅かに突出する態様をなしている。このとき、ロック部材１５の貫通孔１５ａの周縁に軸棒６の大溝１１ｂが係止し、軸棒６がロック部材１５によって第２係合部材５に係止された態様をなす。一方、軸棒６が図３（Ｃ）のような位置にあるとき、即ち、第１係合部材３と第２係合部材５とが連設された状態のときには、ロック部材１５は、突片１６ａの付勢力に抗してスリット１６内に収容される態様をなしている。このとき、軸棒６が貫通穴１５ａに挿通して、上記係止状態が解除された態様をなす。このように、ロック部材１５は、軸棒６の大溝１１ｂとの間で係脱可能なように、本実施の形態ではブッシュ９の下円筒部１２に形成されたスリット１６に緩嵌される。
【００１４】
次に、第１係合部材３及びこれに配設される連結部材について説明する。
第１係合部材３は、図４に示すように、取付プレート２０に加えて、本実施の形態では、ケース体２１を備え、取付プレート２０は、上記固定部材２に固着されたケース体２１上を、カム機構２２によって前後方向（同図の矢印Ａ，Ｂ方向）に移動する一方、調整ボルト２３によって左右方向（同図の矢印Ｃ，Ｄ方向）に移動して、それぞれの方向に対する調整ができるようになっている。そして、略板状をなす上記取付プレート２０の一方端には、円筒体２０ａが形成され、この円筒体２０ａには、連結部材としての軸受部材２４の軸部２５のみが圧入されるようになっている。
【００１５】
軸受部材２４は、有底の挿通孔２５ａを有する円筒状の上記軸部２５と、この軸部２５に立設された、横断面がＣリング状をなす鍔部２６とで構成されている。
鍔部２６の開口部２６ａは、上記ブッシュ９の下円筒部１２を挿入させることができるほどの大きさであり、第１係合部材３と第２係合部材５とを連設させるために開口部２６ａから下円筒部１２を挿入したときに、鍔部２６は、スリット１６から突出しているロック部材１５に当接し、軸棒６の係止状態を解除する作用をする。そして、挿通孔２５ａには、係止状態が解除された軸棒６が挿入される。
【００１６】
次に、本装置１を用いた、固定部材２に扉体４を取り付けるための取付作業の手順を図５を参照して説明する。尚、図５では、固定部材２や扉体４等は省略されており、軸棒６によって連設される取付プレート７の円筒体７ａ及び取付プレート２０の円筒体２０ａの部位のみが表されている。
本装置１を用いると、上記取付作業を極めて簡単に行うことができる。即ち、図５（Ａ）に示すように、扉体４を固定部材２に近づけて、換言すれば、円筒体７ａを円筒体２０ａに近づけて、ブッシュ９の下円筒部１２を軸受部材２４の開口部２６ａから挿入し、ロック部材１５を軸受部材２４の側壁２６ｂに当接させると、図５（Ｂ）に示すように、ロック部材１５が突片１６ａの付勢力に抗してスリット１６内に収容されるので、ロック部材１５の貫通孔１５ａの周縁に対する軸棒６の大溝１１ｂの係止状態が解除され、軸棒６がスプリング１４の弾性力によって軸受部材２４の挿通孔２５ａに挿入される。このように、ロック部材１５を鍔部２６の側壁２６ｂに当接させるだけで、上記取付作業をワンタッチで行うことができる。
【００１７】
また、取外作業をする場合には、例えば軸棒６の鍔１０をスプリング１４の付勢力に抗して持ち上げつつ、上記当接状態が解除されるように下円筒部１２を開口部２６ａから退出させてやりさえすればよい、即ち、扉体４を固定部材２から遠ざけてやりさえすればよい。このとき、ロック部材１５は、突片１６ａの付勢力によって突出するとともに、軸棒６の持ち上げるに従って、ロック部材１５の貫通孔１５ａの周縁に軸棒６の大溝１１ｂが係止されて図５（Ａ）に示すような状態になる。
【００１８】
本発明の第２の実施の形態に係る扉開閉装置３０を説明する。
本装置３０が上述した装置１と異なるところは、ロック手段の構成のみであり、したがって、本装置３０のロック手段に係る点について図６を参照して説明する。但し、図６において、図１〜５中の構成部材と同一の構成部材には同一番号を付し、その説明は割愛する。
本実施の形態では、軸棒６に代えて軸棒３１が、また、ブッシュ９に代えてブッシュ３２が、更に、軸受部材２４に代えて軸受部材３３が用いられる。ここで、軸棒３１は、軸棒６から大溝１１ｂを削除したものであり、また、ブッシュ３２は、ブッシュ９から下円筒部１２を削除し、この代わりに、上記鍔９ａの外周縁の円弧上に一端を固定支点とし、且つ、当該鍔９ａに対し所定角度で傾斜してなる弾性薄板状の可動片３４を配したものであり（図６（Ａ））、かかる可動片３４は、その略中央に穿設された貫通孔３４ａに挿通される軸棒３１に対し所定角度で傾斜する態様をなす。そして、この貫通孔３４ａは、後述するように当該貫通孔３４ａに挿通される軸棒３１との間で係脱可能なように作用する。また、軸受部材３３は、軸受部材２４の側壁２６ｂ内の適宜位置に突起部３５を配したものである（図６（Ａ））。
尚、上記可動片３４は、本実施の形態のように鍔９ａに一体に形成されるものでなく、鍔９ａとは別体で構成されるものであってもよい。
【００１９】
次に、図６（Ｂ），（Ｃ）を参照して、本装置３０に係るロック手段の動作説明をする。
上記可動片３４の貫通孔３４ａに挿通された軸棒３１は、当該軸棒３１が図６（Ｂ）のような位置にあるとき、即ち、第１係合部材３と第２係合部材５とが連設される前の状態のときには、軸棒３１の軸端３１ａが可動片３４の貫通孔３４ａからいくらか突出する態様をなす。このとき、上記傾斜角の拡開方向（同図中の矢印方向）に付勢された可動片３４の貫通孔３４ａに軸棒３１が係止し、軸棒３１が可動片３４によって第２係合部材５に係止された態様をなす。一方、軸棒３１が図６（Ｃ）のような位置にあるとき、即ち、第１係合部材３と第２係合部材５とが連設された状態のときには、軸棒３１の軸部が軸受部材３３の挿通孔２５ａにまで挿入される態様をなす。このとき、可動片３４がその付勢力に抗する力を受けて上記傾斜角の縮閉方向（同図中の矢印方向）に回転し、上記係止状態が解除された態様をなす。
ところで、上記係止状態は、可動片３４の貫通孔３４ａと軸棒３１との間における摩擦力の作用に拠るものであり、この摩擦力の大きさは、両者間の摩擦係数に拠ることはもちろんのこと、可動片３４の貫通孔３４ａの孔径及び軸棒３１の軸径、並びに可動片３４の上記傾斜角等に拠ることは言うまでもない。
【００２０】
本装置３０を用いた、固定部材２に扉体４を取り付けるための取付作業の手順を概説する。
本装置３０を用いても、上記取付作業を極めて簡単に行うことができる。即ち、図６（Ｂ）に示すように、扉体４を固定部材２に近づけて、可動片３４の貫通孔３４ａから突出した軸棒３１の軸端３１ａを軸受部材３３の開口部２６ａから挿入し、可動片３４を軸受部材２４の側壁２６ｂ内の突起部３５に当接させると、図６（Ｃ）に示すように、可動片３４は、上記傾斜角が縮閉方向に移動するので、可動片３４の貫通孔３４ａに対する軸棒３１の係止状態が解除され、軸棒３１がスプリング１４の弾性力によって軸受部材３３の挿通孔２５ａに挿入される。このように、可動片３４を側壁２６ｂ内の突起部３５に当接させるだけで、上記取付作業をワンタッチで行うことができる。
【００２１】
また、取外作業をする場合には、例えば軸棒３１の鍔１０をスプリング１４の付勢力に抗して持ち上げつつ、上記当接状態が解除されるように軸棒３１の軸端３１ａを開口部２６ａから退出させてやりさえすればよい、即ち、扉体４を固定部材２から遠ざけてやりさえすればよい。このとき、可動片３４は、その付勢力によって上記傾斜角が拡開方向に移動するとともに、軸棒６の持ち上げにつれて、可動片３４の貫通孔３４ａに軸棒３１が係止されて図６（Ｂ）に示すような状態になる。
【００２２】
ところで、上述の実施形態では、本装置１が固定部材２及び扉体４の上方に配設されている場合について説明したが、固定部材２及び扉体４の下方に配設される場合であっても、同様に当該取付作業をワンタッチで行える。
また、上述の実施形態では、第２係合部材５に係止された軸棒６を第１係合部材３に挿入することによって、固定部材２に扉体４を取り付けるための取付作業をワンタッチで行える場合について説明したが、第３の実施の形態のように（図７参照）、第１係合部材３に係止された軸棒６を第２係合部材５に挿入することによっても、同様に当該取付作業をワンタッチで行える。尚、図７において、図１中の構成部材と同一の構成部材には同一番号を付し、その説明は割愛する。
【００２３】
【発明の効果】
本発明の扉開閉装置によれば、装置を大型化せずに、しかも、簡単な構造で、家具や建具等の固定部材に扉体を取り付けるための取付作業をワンタッチで行える。
【図面の簡単な説明】
【図１】  第１の実施の形態に係る扉開閉装置の斜視構成図である。
【図２】  図１の第２係合部材及びその連結部材の分解斜視図である。
【図３】  図２の部分詳細図である。
【図４】  図１の第１係合部材及びその連結部材の分解斜視図である。
【図５】  図１の装置の動作説明図である。
【図６】  第２の実施の形態に係る扉開閉装置の動作説明図である。
【図７】  第３の実施の形態に係る扉開閉装置の斜視構成図である。
【図８】  従来の扉開閉装置の構成図である。
【図９】  従来の扉開閉装置の動作説明図である。
【符号の説明】
１，３０        扉開閉装置
２              固定部材
３              第１係合部材
４              扉体
５              第２係合部材
６，３１        軸棒
１１ｂ          大溝（凹溝、ロック手段の構成要素）
１５            ロック部材（ロック手段）
１５ａ          貫通孔
１６ａ          突片（ロック手段）
２４，３３      軸受部材
２５ａ          挿通孔
２６            鍔部
３４            可動片（ロック手段）
３４ａ          貫通孔
３５            突起部
【図１】
0003711235.tif 000002
【図２】
0003711235.tif 000003
【図３】
0003711235.tif 000004
【図４】
0003711235.tif 000005
【図５】
0003711235.tif 000006
【図６】
0003711235.tif 000007
【図７】
0003711235.tif 000008
【図８】
0003711235.tif 000009
【図９】
0003711235.tif 000010